Podtech/llm-jp-corpus-v4-ja_patent huggingface dataset:
(57)【要約】      （修正有）【課題】頚椎と脊髄を同時に温熱することが可能な携帯に便利な温熱治療器を提供する。【解決手段】温熱治療者の後頭部が位置する枕部４に頭部を安定させる凹みを形成したベースマット１とベースマット１の長手方向の中央部分にベースマット１端部から枕４まで温熱体３を任意間隔で埋設し、温熱体３から導線５を延長してコントローラ６を設けた温熱治療器。【選択図】図３
0003144366.tif 000002
【実用新案登録請求の範囲】
【請求項１】
長方形の温熱（２）ベースマットの端部から勾配を付けた（４）枕部までの表面近傍に、（２）ベースマットの長手方向に直交する（３）温熱体を任意間隔で埋設し（３）温熱体から（５）導体を延長して（６）コントローラを設けたことを特徴とする温熱治療器。
【請求項２】
長方形の温熱（２）ベースマットの端部から勾配を付けた（４）枕部までの表面近傍に、（２）ベースマットの長手方向に直交する（３）温熱体を任意間隔で埋設し（３）温熱体から（５）導体を延長して（６）コントローラを設けたことを特徴とする温熱治療器と該温熱治療器の（７）敷きマットと組み合わせた温熱治療装置。
【考案の詳細な説明】
【技術分野】
【０００１】本考案は携帯に便利な温熱治療器で頚椎と脊髄を同時に温熱することが可能な、枕部を有する温熱治療用ベースマットに、温熱体を長手方向に直交する位置に任意間隔で埋設した温熱治療器に関する。
【背景技術】
【０００２】  従来、この種の温熱治療器としては、平らな治療ふとんのほぼ全面に温熱線と電位線を埋設して背中側全体を温熱するものがあり枕部は別個のものを利用するのが通常であった。（特許文献１参照）【０００３】
【特許文献１】特開平１０−９９４５２号公報
【０００４】  特許文献１は人体に電位を作用させる電位線と人体へ温熱を供給する発熱線と前記電位線及び発熱線に配線固定するシ−ト状構成材よりなり、前記シート状構成材は、繊維材料からなる２重の生地構成であり、前記電位線を挿入固定する電位線挿入孔と前記発熱線を挿入固定する発熱線挿入孔とを有してなる家庭用電気治療器である。
【考案の開示】
【考案が解決しようとする課題】
【０００５】  特許文献１に示す電位治療器等の家庭用電気治療器は、特に電位治療時、電位出力用の電位線と温熱用の発熱線が接触する部分が少ないため、この接触部分の影響を受け、誘導電位出力が低下するという課題を有していた。さらに特許文献１の家庭用電気治療器は背中全体の温熱方式であり、かつ電位線と人体への温熱を供給する発熱線を併用する構成であり、製造コストも高く、一般家庭への普及には問題があった。この種の治療で最も効果的で重要な頸椎部を温熱治療する構成でない問題があった。
【課題を解決するための手段】
【０００６】  本考案の温熱治療器はベースマットは長方形であり、大きさを約幅２００ミリメートル、長さ約６００ミリメートルで背中部を平らにし、頭部を約８０ミリメートル高さの枕状に形成する。温熱線はベースマットの長手方向に直交するよう中央部に約１００ミリメートル幅に背中部から頚椎部の枕まで埋設する。埋設位置はマットベースの端部から勾配を付けた枕までの表面近傍とする。本考案品は治療のため治療器に仰臥したとき、脊髄と頚椎が同時に温熱治療ができるように形成したものである。温熱治療時に治療効果を高めるため頚椎と脊髄に温熱体が一致させるために枕部に後頭部を位置させる凹みを形成している。これを使用するときこの凹みに後頭部を合わせれば自動的に頚椎と脊髄が温熱線と位置するので温熱効果を高めることになる。
【考案の効果】
【０００７】  本考案を利用することで、病院の検査でも異常が見つからない不定愁訴（自律神経失調症）として、つぎの不快症状の頭痛、肩こり、鬱、めまい、いらいら、ドライアイ、手足の冷えしびれ、耳鳴り、眼精疲労、これらのそれぞれの症状は、不定愁訴とよばれその根本原因は首の筋肉の硬直だったとある医師は医学の盲点と指摘している症状に、本考案品を使用すると極めて大きな効果をがある実験の結果が出ている。首筋（頚椎部）の硬直をうなじ（重要なツボが点在）温熱によりその効果が証明されている。うなじを温熱刺激することにより神経を通じて体内の器官に伝わり、さまざまな知覚運動が生じ血流が促されホルモンの分泌が活発になり各器官が活性化します。首の血管に動脈硬化が起こると脳梗塞を引き起こすといわれている。このタイプの脳梗塞は若年層で今後爆発的に増えると危惧されている。本考案の手軽な温熱治療器を使用することによって新たな病気の誘発を防ぎ、人間本来の健康で明るい生活スタイルを維持することができる。
【考案を実施するための最良の形態】
【０００８】  以下、本考案の実施の形態を説明する。
本考案品は、図１から図３に示すように（１）温熱器は長方形の（２）ベースマットと（２）ベースマットの長手方向の中央部分に約１００ミリメートル幅の（３）温熱体を任意の間隔で（４）枕部分に後頭部の頚椎が位置する所まで埋設する。埋設位置は（２）マットベースの端部から勾配を付けた（４）枕までの表面近傍とする。温熱器の端部から（５）導線を（６）コントローラまで延長する構成としている。（２）ベースマットは耐熱の弾性材を使用する。（４）枕部の形状は後頭部が若干凹む構造で、仰臥したとき頚椎部の曲線部分が温熱器から離れず接触するよう形成されている。仰臥すれば脊髄と頚椎部に有効に作用し自然に治療効果が高まる構成となっている。
【実施例】
【０００９】  実施例を図１から図３を用いて説明する。
本考案は図３に示すように（７）敷きマット上に（１）温熱治療器を適当な場所に置き、（４）枕部の凹みに後頭部を位置させて仰臥すれば自然に頚椎部と脊髄部が温熱治療器の温熱体に一致して温熱効果が得られる。又、コントローラの調整で最適の温熱を得ることができる。使用については、衛生的なことも考慮して日常的にはタオルケットの活用も有効である。【００１０】  さらに温熱治療器の部分はコンパクトに構成されているので、丸めて持ち運びが出来るので、家族で移動させて利用することもできる。また、温熱治療器は丸めて持参が可能であり、車による小旅行などには必需品である。
【産業上の利用可能性】
【００１１】  本考案は体調不良による不定愁訴で悩んでいる不特定多数の方に活用できる。
現代人間の不規則なライフスタイルとして、パソコンの長時間作業、夜型人間、押し寄せるストレス等で、交換神経が勝り、副交感神経の働きが弱くなり自立神経失調症を招いているが、これらを改善する健康器として有効に活用できる。またコンパクトな構造であり、丸めて持ち運びが手軽にできるのでどこでも家族みんなで使用でき、旅行の携帯用としても大いに活用できる。
【図面の簡単な説明】
【００１２】
【図１】温熱治療器の外形を示す平面図
【図２】温熱治療器の使用状態を示す側面図
【図３】治療器の使用状態の配置を示す斜視図
【符号の説明】
【００１３】  １  温熱治療器
２  ベースマット
３  温熱体
４  枕部
５  導線
６  コントローラ
７  敷きマット（ふとん）
【図１】
0003144366.tif 000003
【図２】
0003144366.tif 000004
【図３】
0003144366.tif 000005
(57)【要約】      （修正有）【課題】蝋紙にボールペン書きを失敗なく書けるようにし、印刷フレームの布張替えの手間をなくさせる蝋紙セットと印刷フレーム取り付け印刷台を提供する。【解決手段】蝋紙に透明のはがしやすい粘着シートを貼ることにより安定した厚手の蝋紙になりボールペンの書きでの蝋紙の破れと書き損じをなくす考案である。また、その蝋紙を印刷する上で印刷フレームの布の張替えに手間取った欠点をなくして布を貼ったスクリーン枠を印刷フレームに取り付け取り外しできるようにして、容易にスクリーン枠を交換することにより印刷フレームの布張替えの手間を省いたものである。【選択図】図２
0003144363.tif 000002
【実用新案登録請求の範囲】
【請求項１】
蝋紙にボールペンで文字を書くときに蝋紙がやぶれないため蝋紙と透明粘着シールを貼り付けたものにすることにより文字を書きやすくすることを特徴とする蝋紙セット
【請求項２】
蝋紙印刷を容易にするため布を貼り付けたスクリーン枠をつくるとともに、そのスクリーン枠を印刷フレームに容易に取り付け取り外しできるようにし、そして印刷台とスクリーン枠を密着したところを特徴とする印刷フレームと印刷台
【考案の詳細な説明】
【技術分野】
【０００１】本案は上記のごとく図１に示すごとく、蝋紙１、粘着シート２をあわせた蝋紙セットの考案であり、図２に示すごとくスクリーン枠４が収納できる印刷フレーム５、留め金６をつけ、そして印刷台７の印刷部分を高くしスクリーンと密着させ印刷フレームに棒８をつけることにより容易に上げ下げできるようにした考案である。
【背景技術】
【０００２】蝋紙にボールペンで書いていたが蝋紙が薄いため破れたなどの書き損じをおこしていた。また、印刷フレームに貼った布はインクを替える都度布の張替えをしていた。
【考案の開示】
【考案が解決しようとする課題】
【０００３】本案は以上の如く従来は蝋紙にボールペン書きすると蝋紙がうすいためやぶれてしまう欠点があった。また本案は印刷するとき印刷フレームについている布をその都度張替えをする手間が欠点であった。本案はこの蝋紙が破れる点と印刷フレームの布張替えの面倒な手間を解決しようとするものである
【課題を解決するための手段】
【０００４】本案は蝋紙を容易にはがすことができる透明粘着シートを蝋紙に貼ることによりボールペン書きのときの蝋紙が破れず書きやすくした考案とその蝋紙をセットして印刷する印刷フレームの布張替えの面倒な手間を省くため印刷フレームに布を貼ることをやめて、布を貼ったスクリーン枠をつくりそのスクリーン枠を印刷フレームに取り付け取り外しできるようにしたことにより問題を解決している。
【考案の効果】
【０００５】上述のように粘着シートに貼った蝋紙はボールペン書きしても破れずにきれいに書け、またスクリーン枠と印刷フレームを分離し、印刷フレームにスクリーン枠を収納させることにより印刷作業が容易になった。また印刷台を高くした結果スクリーン枠との密着がより可能になり印刷フレームに棒をつけることにより上下が簡単になりさらに印刷が容易になった。
【図面の簡単な説明】
【０００６】
【図１】蝋紙と粘着シートが貼り合わさった図
【図２】スクリーン枠と印刷フレームが分離された図
【符号の説明】
【０００７】１．  蝋紙
２．  透明粘着シート
３．  ボールペン
４．  スクリーン枠
５．  印刷フレーム
６．  留め金
７．  印刷台
８．  印刷フレーム棒
【図１】
0003144363.tif 000003
【図２】
0003144363.tif 000004
(57)【要約】      （修正有）【課題】定規と関連する筆記用具をできる限りコンパクトにまとめ、携帯しやすく、かつ使いやすくしたペン収納角度付定規を提供する。【解決手段】円中空アクリル（透明）管体を、分度器を中心に連結して、管体の外周に目盛り（尺度）を記載し、管体の内部にスペースを設けて筆記用具や文具小物を収納できるようにし、携帯性と機能性を確保したペン収納角度付定規である。【選択図】図８
0003144370.tif 000002
【実用新案登録請求の範囲】
【請求項１】
円中空アクリル（透明）管体（１・１ａ）（２・２ａ）を分度器（３）を中心に連結して、管体（１・１ａ）（２・２ａ）の外周に目盛（尺度）を記載し、管体（１・１ａ）（２・２ａ）内部に筆記用具・文具小物を収納できるペン収納角度付定規である。
【考案の詳細な説明】
【技術分野】
【０００１】この考案は、定規に関連する筆記用具・文房具をコンパクトにまとめ、一体化して携帯しやすくしたペン収納定規である。
【背景技術】
【０００２】従来、筆記用具・文房具はそれぞれの機能によってたくさんの用具（直線定規・三角定規・分度器・コンパス・ルーペ・尺度付三角スケール・内径計測定規・ホッチキス・カッター・筆記用具・等々）が使用されている。
【考案の開示】
【考案が解決しようとする課題】
【０００３】製図、事務作業で、筆記用具・文房具のそれぞれの機能によって、たくさんの用具を揃えて使い分けながら使用している。
それらの作業効率は余り良いとは言えず、また携帯して使用するには用具が嵩張り、種類が多いため忘れたり、無くしたりすることもあり、携帯にはあまり適さない。
【課題を解決するための手段】
【０００４】円中空アクリル（透明）管体（１・１ａ）（２・２ａ）に証明（図Ｂ・２ｅ）を内蔵して、筆記用具・文具小物を収納し、その管体（１・１ａ）（２・２ａ）を分度器（３）を中心に連結して、管体外周に目盛（尺度）を記載して、目盛を読み取るためのスライド式基線付ルーペ（４）を取り付けて、ルーペ（４）にコンパス（４ｂ・４ｃ）とカッター（４ａ）を組み込んで、コンパス（４ｂ・４ｃ）を管体（図Ｄ・１ｆ・２ｆ）に取り付け、カッター（４ａ）をルーペ（４）の先端に取り付けてスライドカッターが出来る、角度付定規とし、定規の平行移動を管体（１ａ・２ａ）をスライドして出来るようにし、そのスライド部分に内径・外径計測定規（１ｄ）と文具小物・ルーペ（２ｄ）を収納した。
【考案の効果】
【０００５】筆記用具・文具小物をコンパクトに収納でき、透明管体で照明内臓により、収納部分が見えて忘れ物の確認ができ、暗がりでも目盛の読み取りができ、また定規を一体化にしたことにより多用な機能を使用でき、携帯しやすくなった。
【考案を実施するための最良の形態】
【０００６】円中空アクリル（透明）管体（１・１ａ）（２・２ａ）を分度器（３）を中心に連結して、管体外周に目盛（尺度・１／１００・１／２００・１／２４０・１／２５０・１／３００・１／３２０１／３５０・１／４００・１／５００・１／６００）図Ｅを記載して、スライドレール（１ｂ・１ｃ・２ｂ・２ｃ）を設けて、そのレールに目盛を読みとる。スライド式基線付ルーペ（４）を取り付けて、ルーペ（４）上部両端にコンパス（４ｂ・４ｃ）とその中間に、カッター（４ａ）をはめ込み、管体（１・１ａ・２・２ａ）内部に照明（１ｅ・２ｅ）図Ｂを設け、筆記用具・文具小物を収納して、管体（１ａ・２ａ）をスライドして、そのスライド部分に内径・外径計測定規（１ｄ）と文具小物・ルーペ（２ｄ）を収納するスペースを設けた。
【実施例】
【０００７】図７は定位置の閉じた状態のペン収納角度付定規である。
図９・定規（２・２ａ）を開いて、角度（３・３ａ）を決めて、角度線とし、定規（１・１ａ）の（１ａ）をスライドして平行線を描き、内径・外径を計測するときは、スライド部分（１ｄ）で計測する。
円線については、ルーペ（４）のコンパス（４ｂ・４ｃ）を管体（１ａ・２ａ）の（１ｆ・２ｆ）に取り付けて、定規を立て抽き、スライドカッター（４ａ）は図１０の状態でルーペ（４）の先端にはめ込み使用する。
収納については、管体（１・１ａ・２・２ａ）内部に筆記用具２本分（１・２）と文具小物２個分（１ａ・２ａ）、スライド部分（２ｄ）にプレートルーペ・カッターの刃・コンパスの芯を収納し、内蔵されてる照明（１ｅ・２ｅ）を照らして、管体を明るくして目盛を読み取る様にした、ペン収納角度付定規。
【産業上の利用可能性】
【０００８】筆記用具・文房具をできる限り、コンパクトにまとめ携帯しやすく、ライト内臓によって定規（透明管体）自体が明るくなるので、緊急時の懐中電灯的役目も期待できる、ペン収納角度付定規
【図面の簡単な説明】
【０００９】
【図１】定位置の平面図
【図２】９０°開いた時の平面図
【図３】１８０°開いた時の平面図
【図４】底面図
【図５】側面図
【図６】側面・断面図
【図７】定位置の斜視図
【図８】スライド時の斜視図
【図９】９０°開いた時の斜視図
【図１０】１８０°開いた時の斜視図
【符号の説明】
【００１０】１．円中空アクリル（透明）管体定規
１ａ．      〃
１ｂ．スライドレール
１ｃ．      〃
１ｄ．内径・外径計測定規
１ｅ．照明
１ｆ．コンパス先端取付場所
２．円中空アクリル（透明）管体定規
２ａ．      〃
２ｂ．スライドレール
２ｃ．      〃
２ｄ．プレートルーペ・文具小物収納スペース
２ｅ．照明
２ｆ．コンパス先端取付場所
３．分度器
３ａ．分度器固定ネジ
３ｂ．ボタン電池収納スペース
４．スライドルーペ
４ａ．スライドカッター
４ｂ．コンパス先端
４ｃ．      〃
【図１】
0003144370.tif 000003
【図２】
0003144370.tif 000004
【図３】
0003144370.tif 000005
【図４】
0003144370.tif 000006
【図５】
0003144370.tif 000007
【図６】
0003144370.tif 000008
【図７】
0003144370.tif 000009
【図８】
0003144370.tif 000010
【図９】
0003144370.tif 000011
【図１０】
0003144370.tif 000012
(57)【要約】      （修正有）【課題】再利用レジ袋を簡単に収納でき、かつ使いたい時に、いつでも簡単に取り出せるシンプルな収納具を提供する。【解決手段】親指幅大の櫛の歯状の凹み３のある仕切り板１と該仕切り板を支える側板２から構成し、収納具とするため底板４で囲む。仕切り板と側板までの空間は、少なくとも８０ｍｍは、確保する。使用に当たっては、仕切り板の櫛の歯状の凹みに向けて、上から、あらかじめ細長く棒状にしたレジ袋５の両端を持って、下方に押し込む。レジ袋を取り出すときは、レジ袋を掴み引っ張り上げればよい。【選択図】図１
0003144364.tif 000002
【実用新案登録請求の範囲】
【請求項１】
仕切板上の親指幅大の櫛の歯状の凹みに再利用レジ袋を押し込んで挟み込むことを特徴とする、再利用レジ袋収納具。
【考案の詳細な説明】
【技術分野】
【０００１】再利用レジ袋の収納具に関する。
【背景技術】
【０００２】レジで貰ったポリ袋は、いろいろと再利用され家庭においても今や再利用度の高い貴重なものであるが、存外がさばるので収納しにくい。
適当な大きさの袋に収納したり、箱に入れたりして創意工夫しても、いずれも使い易さ（収納・取り出しが簡単）から程遠く実用的ではない。
【考案の開示】
【考案が解決しようとする手段】
【０００３】本案は、▲１▼再利用したいレジ袋を簡単に収納でき、▲２▼使いたい時に、いつでも簡単に取り出せる、収納具を提供する。
【課題を解決するための手段】
【０００４】親指幅大の櫛の歯状の凹みのある仕切板とその仕切板を支える側板から構成され、収納具とするため底板で囲む。
【考案の効果】
【０００５】仕切板上の親指幅大の櫛の歯状の凹みに向けて、上から、予め細長く棒状にしたレジ袋の両端を持って、下方へ押し込む（挟み込む）。反対に、取り出すときは、摘み引っ張り上げるだけで良い。
又、収納枚数を増やすには、空いている凹み部分に、上から重ねて押し込む。
押し込まれたレジ袋は、元の形状に戻ろうと、広がろうとし、ズリ落ちたり飛び出したりしない。この親指幅大の櫛の歯状の凹みが収納・取り出しに大きな効果をもたらす。
【考案を実施するための最良の形態】
【０００６】下方へ押し込む際、凹み幅寸法は、親指幅大が適幅のようである。
押し込み易く、且つ、引っ張り上げ易くに程よいサイズである。【０００７】仕切板と底板までの空間は、７０〜８０ｍｍ欲しい。大き目のレジ袋の収納にも役に立つ。【０００８】仕切板と側板までの空間は、少なくても８０ｍｍは確保したい。狭いと手が邪魔になり押し込むときに難儀し、収納枚数が制限されてしまう。
【産業上の利用可能性】本案は、１機能性に富み（収納し易く、取り出し易い）、２構造が簡単であるため、量産化の可能性によるスケールメリットが期待でき、製造コストも大幅に軽減されることが予測される。強いては、市場性の拡大に寄与する。
【図面の簡単な説明】
【図１】本案の再利用レジ袋収納具の実施方法を示した概略図である。
【符号の説明】
１櫛の歯状の凹みのある仕切板
２仕切板を支える側板
３親指幅大の凹み
４底板
５レジ袋
【図１】
0003144364.tif 000003
(57)【要約】      （修正有）【課題】術者の動きを制限することなく、またアシスタントなくとも、術者自身が口腔内を明るく照らし、効果的な口腔ケアを実施できる照明具を提供する。【解決手段】極小ライト２（鉛筆キャップ程度の大きさ）にライトフック３とフリーサイズの指輪５を合体させたホルダー１を手指９に装着し、術者の診たいところを自由に照らせるようにする。【選択図】図１
0003144360.tif 000002
【実用新案登録請求の範囲】
【請求項１】
口腔内を照らすライトとこのライトを装置するホルダーを有する照明具。
【請求項２】
請求項１に記載の照明具において、前記ホルダーは切りかきにてストッパーを備え、ライトフックを結合させたことを特徴とする照明具。
【請求項３】
１または２に記載の照明具において、ストラップを取り付け、誤って口腔内に入ることを予防することを特徴とする照明具。
【請求項４】
１から３に記載の照明具において、ライトとホルダーを回転させることにより、消点灯できることを特徴とする照明具。
【請求項５】
３に記載のライトとストラップの間に弾性部材を繋げることにより、伸縮性を持たせた照明具。
【考案の詳細な説明】
【考案が解決しようとする課題】
【０００１】口腔ケアを実施する際に、片手で口唇を排除し、片手で歯ブラシ等のケア用品を持つのが主流である。手元を明るくし口腔内を観察するためには、頭部もしくは耳にライトを取り付けてケアを行うが、術者の頭部が動くと照点のずれが生じる。またアシスタントによる照明が効果的だが、マンパワー不足等により充分ではない。
【課題を解決するための手段】
【０００２】口腔内を照らすライトとこのライトを装置するホルダーを有する照明具。
【０００３】請求項１に記載の照明具において、前記ホルダーは、切りかきにてストッパーを備えたことを特徴とする照明具。
【０００４】１または２に記載の照明具において、ストラップを取り付け、誤って口腔内に入ることを予防することを特徴とする照明具。
【０００５】１から３に記載の照明具において、ライトとホルダーを回転させることにより、消点灯できることを特徴とする照明具。
【０００６】３に記載のライトとストラップの間に弾性部材を繋げることにより、伸縮性を持たせる。
【考案の効果】
【０００７】術者の手指に照明具を取り付けることにより、術者が診たいところを明るく照らし、安全で効果的な口腔ケアを実施することが出来る。
【考案を実施するための最良の形態】口腔内近くから照らすことにより、影をなくし奥まで診ることができる。
左右どちらの手指にも取り付けることができる。
指先を自由に動かせることが出来、観察したい場所を容易に照らすことができる。
アルコール綿等で簡単に消毒することができるため、清潔が保たれる。
頚部からのストラップを使用することにより、万が一手指から外れることがあっても、口腔内に誤って入る危険を予防できる。
口腔ケアは術者とアシスタントでケアを行うが、アシスタント業務はケア用品の準備や水の交換で時間を取られるため、術者の傍らで常時待機は出来ない。よって、アシスタントが口腔内をペンライトで照らすことが充分ではない。そこで、本考案の照明具を使用することにより、常時術者の診たいところを照らすことで術者とアシスタントのストレスを回避し、効果的口腔ケアを実施することが出来る。またそれに伴い、ケアの時間を短縮することが出来る。
【図面の簡単な説明】
【図１】  本考案の全体図
【図２】  ホルダー
【図３】  ライト  ＋  ストラップ
【図４】  ライト  ＋  ホルダーの合体図
【符号の説明】
１      ライトホルダー
２      ライト
３      ライトフック
４      ストッパー
５      フリーサイズの指輪
６      安全バー
７      ゴム
８      首掛け用ストラップ
９      指
【図１】
0003144360.tif 000003
【図２】
0003144360.tif 000004
【図３】
0003144360.tif 000005
【図４】
0003144360.tif 000006
(57)【要約】      （修正有）【課題】磁北線を地形図上に引くために、正確且つ一つの定規を用いて、複数作業の解消等ができる定規を提供する。【解決手段】磁北線を引くための値１を表４に表示する、直角長辺２００ｍｍの位置２に目盛りを付ける、各地形図の偏角情報から１の値を表４から選び目盛り２と結べば正確な磁北線を引くことができる。最長辺と平行線３を定規にして複数の磁北線を地形図上に引くことができ、一つの定規でこの課題を解決する。【選択図】図１
0003144353.tif 000002
【実用新案登録請求の範囲】
【請求項１】
地形図上に正確な磁北線を複数本引くために、各地形図の偏角情報から求めた数値表と、三角形各辺に目盛りを備えた定規。
【考案の詳細な説明】
【技術分野】
【０００１】  本考案は地形図上に磁北線を正確に且つ複数引くための定規に関する。
【背景技術】
【０００２】  従来、磁北線はプレート型コンパスや分度器で簡便に引くか三角関数値で計算して、スケールと三角定規を用いて引いていた。
【考案の開示】
【考案が解決しようとする課題】
【０００３】  しかし、これでは正確さに欠き、計算と共に複数の定規が必要であった。
【課題を解決するための手段】
【０００４】  そこで、一つの三角定規上に、直角短辺に直角点から１ｍｍ間隔の目盛りを付ける、直角長辺に直角点から２００ｍｍの位置に目盛りを付ける、最長辺と平行に４０ｍｍの位置に平行線を引く、地形図の偏角情報から三角関数値を求め、直角長辺の２００ｍｍを掛け、求めた数値を表にして三角定規上に表示する。
【考案の効果】
【０００５】  よって、本考案の磁北線定規により、数値表から求めた短辺１の値と２００ｍｍの位置の目盛りを結んだ線が磁北線となり、定規最長辺と平行に４０ｍｍの位置にある線を用いて複数の磁北線を等間隔に地形図上に引くことができる。
【考案を実施するための最良の形態】
【０００６】  本考案に係る磁北線定規１０は図１に示すように直角三角定規上の短辺に直角点から１〜４０ｍｍの範囲に１ｍｍ間隔の目盛り１を付ける、長辺上に直角点から２００ｍｍの位置に目盛り２を付ける、最長辺と平行に４０ｍｍの位置に平行線３を引く、地形図の偏角情報から求めた三角関数値に２００を掛け、求めた数値を表にして定規上に表示する。素材は透明プラスチック０．５〜１ｍｍ厚程度で形成する。
【図面の簡単な説明】
【０００７】
【図１】  本考案に係る磁北線定規の平面図である。
【符号の説明】
【０００８】  １      直角点から１〜４０ｍｍの範囲までの１ｍｍ間隔の目盛り
２      直角点から２００ｍｍの位置の目盛り
３      最長辺と４０ｍｍの間隔で引いた平行線
４      １の長さを求める数値表
１０    磁北線定規
【図１】
0003144353.tif 000003
(57)【要約】      （修正有）【課題】炎天下において首部を冷却すると共に、速やかに水分補給を行うことを可能にしたＣ型形状ポリエチレンチューブ氷菓子容器を提供する。【解決手段】Ｃ型形状ポリエチレンチューブ氷菓子容器本体１に果汁若しくはスポーツドリンク等を注入し凍らせたもので首に掛けることが出来ることを特徴とする。炎天下の中、屋外活動やスポーツ観戦時に首掛冷却用氷菓子容器を使用することにより、首部を冷却することができ又水分補給もできる。【選択図】図１
0003144358.tif 000002
【実用新案登録請求の範囲】
【請求項１】
ポリエチレンチューブ氷菓子容器をＣ型形状とし、首に掛ける事が出来るところを特徴とする首掛冷却用氷菓子容器
【考案の詳細な説明】
【技術分野】
【０００１】    本考案は、氷菓子を首に掛け首部を冷却するための氷菓子容器に関するものである。
【背景技術】
【０００２】    氷菓子において以前よりポリエチレンチューブ氷菓子容器はあったが、棒型形状のものであった。
【考案の開示】
【考案が解決しようとする課題】
【０００３】    棒型形状のポリエチレンチューブ氷菓子容器で体を冷却するには容器を手で持つことにより体にあてていたが、容器を首に掛けることにより手で持つ必要がなくなった。
【課題を解決するための手段】
【０００４】    本考案は、ポリエチレンチューブ氷菓子容器を首に掛けられるようＣ型形状とし、又小まめに水分補給ができるようにネジ式のキャップを設けた。
【考案の効果】
【０００５】    本考案の、首掛冷却用氷菓子容器を首に掛けることにより、首部を冷却することが出来又水分補給も出来るものである。
【考案の実施するための最良の形態】
【０００６】    首掛冷却用氷菓子容器内に果汁若しくはスポーツドリンクを入れ凍らせたものを首に掛け、首部を冷却すると共に水分補給ができる。
【実施例】
【０００７】    本考案の実施例は、首掛冷却用氷菓子容器を首に掛けることによって首部を冷却することが出来ネジ式キャップを取り外し容器内の溶けた氷菓子を飲むことができる。
【産業上の利用可能性】
【０００８】    炎天下の中、屋外活動やスポーツ観戦時に首掛冷却用氷菓子容器を使用することにより、首部を冷却することができ又水分補給もできるものを提供する。
【図面の簡単な説明】
【０００９】
【図１】本考案の首掛冷却用氷菓子容器の一実施例を示す正面図である。
【符号の説明】
【００１０】  １  氷菓子容器本体
２  ネジ式キャップ
【図１】
0003144358.tif 000003
(57)【要約】      （修正有）【課題】医療機関が面会申請者に用いる際に、面会申請書と面会許可証を同時に作成することができる複写式面会申請書兼貼り付け式面会許可証を提供する。【解決手段】面会許可証１を、面会申請者が自ら着用している衣服に直接貼り付けられるよう、貼り直しのできる糊２を塗布した紙製とすることにより、使用後の返却が不要な使い捨てとし、使用する紙にはノンカーボン用紙を使用することによって、面会申請書３と面会許可証１を同時に作成できるようにし、面会申請と面会許可の手続きや、管理の簡素化や省力化を図る。よって面会申請者の利便と、省力化と安全を求める医療機関の利便を同時に実現するのに役立つ。【選択図】図４
0003144352.tif 000002
【実用新案登録請求の範囲】
【請求項１】
貼り直しのできる糊を塗布したノンカーボン用紙を使用して、医療機関が入院患者との面会を希望する者に、作成を求める面会申請書と、医療機関内に滞在中着用を求める面会許可証を、同時に作成することのできる、複写式面会申請書兼貼り付け式面会許可証
【考案の詳細な説明】
【技術分野】
【０００１】  本考案は、医療機関が使用する、入院患者への面会申請書と、使用後は使い捨てが可能な、貼り付け式の面会許可証を同時に作成できる、複写式面会申請書兼貼り付け式面会許可証に関するものである。
【背景技術】
【０００２】  大抵の医療機関は入院患者との面会を希望する者に対し、面会申請書の作成を依頼し、面会許可済である証拠となる面会許可証を、医療機関内に滞在する間、バッジなどの形で身に着けるように取り決めている。
【考案の開示】
【考案が解決しようとする課題】
【０００３】  面会希望者にとっては、面会申請書を記入するだけでなく、面会許可証を借り受け、面会後にそれを返却する手続きは、かなり面倒で複雑に思わるため敬遠されがちである。よって医療機関にとって、患者の安全を確保する責務がなおざりにされやすい。また医療機関が貸し出した面会許可証を、全ての面会者が面会後に返還をするよう、確実に見届けることも難しい。従って、面会申請書と面会許可証を簡単に作成し、さらに面会申請証そのものを貸し出すのではなく、使い捨てが可能な貼り付け式にすることにより、前述の欠点を解決しようとするものである。
【課題を解決するための手段】
【０００４】  本考案は、面会許可証を貼り直しのできる糊を塗布した紙製とすることにより、面会申請者が自ら着用している衣服に直接貼り付け、使用後は返却をせずに使い捨てられるようにするだけでなく、使用する紙にはノンカーボン用紙を利用することによって、面会申請書と面会許可証を同時に作成できるようにして問題点を解決している。
【考案の効果】
【０００５】  面会申請書と面会許可証を同時に作成できることによって、面会申請者の負担は軽減され、手軽に申請ができるようになる。また面会許可証自体に糊が塗布されているために、簡単に身体に装着することができ、使用後は返却の必要がないため面会申請者の利便を向上させ、そのために面会申請がより着実に行なわれる事は、医療機関内の安全に寄与することになる。同時に医療機関による面会許可証の貸出返却管理を不要にし、省力化に貢献することである。
【考案を実施するための最良の形態】
【０００６】  必要な事項をノンカーボン用紙２枚に印刷した後、１枚目裏面の適切な箇所に、貼り直しのできる糊を塗布し、これを２枚目の用紙と張り合わせ、１組の面会申請書兼許可証とする。面会申請者はこれを受け取ると、１枚目の上から必要事項を記載することにより、同じ内容が２枚目にも複写される。記入後、裏面に糊の付いた１枚目を剥がし、これを自分の身体衣服に面会許可証として装着し、２枚目は面会申請書として医療機関窓口に提出する。よって、面会申請書と面会許可証を同時に作成でき、面会許可証は使用後の返却が不要なため使い捨てが可能となる。
【実施例】
【０００７】  以下、添付図面に従って一実施例を説明する。１はノンカーボン用紙に適宜必要事項を印刷してある面会許可証の表面で、２は１の裏面に塗布をする貼り直しのできる糊で、３はノンカーボン用紙に適宜必要事項を印刷してある面会申請書の表面である。【０００８】  糊２の塗布を、１の裏面に施工後、１の裏面と３の表面に張り合わせることによって、１組の面会申請書兼許可証が完成し、これを面会申請者に提供する。【０００９】  面会申請者は１の表面に必要事項を記入することにより、３の表面にも同じ事項が複写される。その後１を３から剥がし、１の裏面に塗布されている、２つまり貼り直しのできる糊の粘着力によって、１を面会許可証として自分の身体衣服に装着し、残る３を面会申請書として医療機関窓口に提出する。
【図面の簡単な説明】
【００１０】
【図１】本考案の１組の内１枚目となる面会許可証の表面の平面図である。
【図２】本考案の１組の内１枚目となる面会許可証の裏面の平面図である。
【図３】本考案の１組の内２枚目となる面会申請書の表面の平面図である。
【図４】本考案の１組の１枚目と２枚目が貼り合わされた状態の断面図である。
【符号の説明】
【００１１】  １  面会許可証
２  貼り直しのできる糊
３  面会申請書
【図１】
0003144352.tif 000003
【図２】
0003144352.tif 000004
【図３】
0003144352.tif 000005
【図４】
0003144352.tif 000006
(57)【要約】      （修正有）【課題】紙芝居を光らせ、それに立体的な動きをさせる装置を提供する。【解決手段】蛍光絵の具を塗った絵に紙芝居台の枠の上下にとりつけたブラックライトをあて光らせ、かつ別の切り抜いた絵を竹ヒゴにつけて動かし立体的な動作を表現する。紙芝居の中の絵が動くため、子供たちは話が終わるまであきることなく興味を持って見ることができる。【選択図】図３
0003144354.tif 000002
【実用新案登録請求の範囲】
【請求項１】
ブラックライト（紫外線）を絵にあてて光らせる紙芝居。
【請求項２】
紙芝居の、絵と同じ形に切り抜いた紙を竹ヒゴに接続して絵を飛び出させる用具。
【考案の詳細な説明】
【技術分野】
【０００１】  本考案は、紙芝居台の枠の上下にとりつけたブラックライトと別紙に描いた絵からなる立体的な紙芝居に関する。
【背景技術】
【０００２】  従来の紙芝居は描かれた絵を話に合わせて一枚ずつ見せるだけの装置で絵に動きもなく観客をあきさせるものである。
【考案の開示】
【考案が解決しようとする課題】
【０００３】  観客をあきさせないために、部屋を暗くし絵を光らせ、動きと立体感を与える。
【課題を解決するための手段】
【０００４】そのための解決手段として絵を蛍光絵の具で描き、その絵にブラックライトをあてて浮き出させる。さらに動きと立体感を与えるために別紙に描いた絵を竹ヒゴに接続させて動かす。
【考案を実施するための最良の形態】
【０００５】別紙に描く絵は原則的には静止画と同じ絵であるが、場合によっては変化をもたせる為動作時の絵も用いる。竹ヒゴを使用するのは、そのタワミを利用して動きを協調するためである。
【考案の効果】
【０００６】  従来の紙芝居は、長い話の間一枚の絵を見続けるため、子供たちはあきてしまう。そのため、読み手が竹ヒゴを持ち紙芝居の絵にのせ、ストーリーのタイミングに合わせヒゴ先の絵を空間に泳がし、又ヒゴの長さもいろいろ用途に合わせて変えて、動きに変化をもたらせることができた。そのため子供たちは話が終わるまであきることなく最後まで興味を持って見ることができる。
【図面の簡単な説明】
【０００７】
【図１】本考案に係わる紙芝居の枠の上下にブラックライトを設置した図。
【図２】本考案に係わるヒゴの手元を読み手が持ち紙芝居の絵にあてた図。
【図３】本考案に係わるヒゴ先につけた絵が静止画から離れて動く図
【符号の説明】
【０００８】１      枠
２      ブラックライト。
３      描かれた絵。
４      切り抜いた絵。
５      ヒゴ。
６      持ち手
【図１】
0003144354.tif 000003
【図２】
0003144354.tif 000004
【図３】
0003144354.tif 000005
(57)【要約】【課題】  本考案は歯ブラシの毛の長さを山脈型にカットし、歯をきれいに磨く。又歯の病気の予防をする。【解決手段】  本考案は歯ブラシの毛の長さを、中心を高く、両端を低く、山脈の形にカットする事により歯の隙間や歯と歯ぐきの隙間にも毛先が隅々まで当たり、歯全体又奥歯や歯の裏側までもきれいに、しかもとても磨きやすいので、虫歯や歯槽膿漏の予防に役立つ。【選択図】図３
0003144337.tif 000002
【実用新案登録請求の範囲】
【請求項１】
歯ブラシの毛の中心を長くし、両端の毛を短く全体を斜めに山脈の型にカットした歯ブラシ
【考案の詳細な説明】
【技術分野】
【０００１】  本考案は、歯ブラシの毛を山脈型にカットした歯ブラシに関するものである。
【背景技術】
【０００２】  歯科医師の歯の磨き方の指導によると、歯ブラシを斜めに持って、歯と歯ぐきの隙間に毛先を当てて磨くこと。又磨き残しの個所は歯間ブラシを使用して磨くとよいと指導された。
【考案が解決しようとする課題】
【０００３】  従来の歯ブラシは、ブラシの毛が同じ長さにより、歯ブラシを歯と歯ぐきの隙間に斜めに当てても毛先が隙間に届かない為、きれいに磨くことが出来ない。又歯間ブラシを使用するのも時間もかかる。又歯間ブラシは、歯の隙間がせまい時は歯ぐきを痛めることがある。従って歯ブラシの毛の長さを山脈型にカットすることにより、歯と歯ぐきの隙間に毛先がピタッと当たり、前述の欠点を解決しようとするものである。
【課題を解決するための手段】
【０００４】  本考案は、歯ブラシの毛の長さを歯ブラシの中心の毛を一番長くし、両側の毛を短く、山脈型に毛を斜めにカットすることにより歯ブラシを歯と歯ぐきの隙間に当てた時、歯と歯ぐきの隙間に毛先が細部まで当たる事により問題点を解決している。
【考案の効果】
【０００５】  上述の様に本考案の山脈カット歯ブラシは、意識して歯ブラシを斜めに持たなくても、毛先が斜めにカットされているので、自然と歯ブラシが斜めに当たり、とても磨きやすく又奥歯の奥や歯の裏側も凹凸の多い歯の細かい個所にも、毛先が無理なく当たり、きれいに磨くことが出来る。
【考案の実施するための最良の形態】
【０００６】  歯ブラシ本体の真ん中に植え付けられている中心の毛を一番長くし、両端に植え付けられている毛を中心の毛から斜めに山脈型にカットし歯ブラシの毛先が歯や歯ぐきの細部に当たる面積を小さくする事により歯の細部まで毛先がいきとどく様になる。
【実施例】
【０００７】  以下添付図面に従って一実施例を説明する。１は歯ブラシ本体、２は歯ブラシの中心の毛、３は両端の毛である。この２の毛の中心の毛を一番長くし、３の両端に向かい中心の毛より斜めにカットし、歯ブラシの毛全体を山脈型にする。【０００８】  本考案の一実施例は上述の如き構成からなるものであるから、歯と歯ブラシの４の隙間が無くなる。
【図面の簡単な説明】
【０００９】
【図１】本山脈カット歯ブラシの斜面図である。
【図２】本考案の山脈カット歯ブラシの側面図である。
【図３】本山脈カット歯ブラシの正面図である。
【図４】従来の歯ブラシの使用例である。
【図５】本山脈カット歯ブラシの使用例である。
【符号の説明】
【００１０】  １  山脈カット歯ブラシ本体
２  中心の毛
３  両端の毛
４  隙間
５  歯
６  歯ぐき
７  従来の歯ブラシ
【図１】
0003144337.tif 000003
【図２】
0003144337.tif 000004
【図３】
0003144337.tif 000005
【図４】
0003144337.tif 000006
【図５】
0003144337.tif 000007
(57)【要約】      （修正有）【課題】容易に組み立てられるダイスブロックパズルを提供する。【解決手段】ミニ独楽の半身が埋まる丸凹みと、丸軸を差し込む孔、回転ストッパーが納まる角形の凹みをもつダイス同士を、厚さ２ｍｍの可塑性丸形ピース両面中心部に、厚さ０．５ｍｍ、一辺が１０ｍｍ四方の回転ストッパーを固着し、太さ３ｍｍ、長さ２５ｍｍ、両端が丸形の軸を突き刺した形を一体成形したミニ独楽で繋いだブロックパズル。【選択図】図１
0003144335.tif 000002
【実用新案登録請求の範囲】
【請求項１】
ミニ独楽：      厚さ２ミリの可塑性丸形ピース両面中心部に厚さ０．５ミリ、一辺１０                ミリの正方形回転ストッパーを固着し、太さ３ミリ、長さ２５ミリ、両                端が丸型の軸で成り立つ。
ダイス：        ミニ独楽の半身が埋まる丸凹みと、回転ストッパーが納まる角凹み、並                びに丸軸を差し込む孔をもつ。
回転ストッパーの角凹みの四辺はダイスの辺に平行である。
ダイスブロック：ダイスとダイスの間にミニ独楽の軸を差し込んで作る。
以上、ミニ独楽を繋ぎ役にするダイスブロックの作り方。
【考案の詳細な説明】
【考案の詳細な説明】
【０００１】ダイスブロックを作る仕組み。
【技術分野】
【０００２】ゲーム具に属する
【背景技術】
【０００３】従来よりブロックパズルはあった。
【考案が解決しようとする課題】
【０００４】従来のパズルは、自分で創作するものが少なかった。
【課題を解決するための手段】
【０００５】ダイスで簡単にブロックパズルを作る。
【実施例】
【０００６】本考案は、ミニ独楽２を繋ぎ役にして作るダイスのブロックパズルである。【０００７】ダイス１は、一辺３０ミリの立方体。【０００８】ミニ独楽２は、厚さ２ミリの可塑性平板で作る丸形である。【０００９】回転ストッパー４は、厚さ０．５ミリ、一辺の長さ１０ミリの正方形で、ミニ独楽２の裏表中心部に固着する。【００１０】丸軸６は、太さ３ミリ、長さ２５ミリ、両端が丸い、ミニ独楽２の中心を通る。【００１１】ダイス１の各面にミニ独楽２の半身を埋める丸凹み３を持つ。【００１２】回転ストッパー４のはまる角凹み５は、四辺がダイス１の四辺に平行である。【００１３】丸軸６を差し込む孔７は、貫通している。
【実施要領】
【００１４】ミニ独楽２の丸軸６をダイス１の孔７に差し込んで継ぎ足しながら形を作って行く。
【００１５】出来た絵柄の中のミニ独楽２を幾つか外してブロック片を作る。
【考案の効果】
【００１６】組み立てが簡単である。
【００１７】繋ぎ目が見えない
【００１８】回転ストッパー４が繋いだダイス１同士の角度のずれを防ぐ。
【００１９】組み立てを、平面のみならず立体的にも簡単に組み立てることができる。
【００２０】ミニ独楽単体でも独楽の回し合いで独楽取り合戦をして遊ぶことができる。
【００２１】自作したパズルを他者に解かせる新たな楽しみが味わえる。
【図面の簡単な説明】
【００２２】
【図１】本案の一例として、Ｌ字形に繋いだブロック片の斜視図
【図２】前記Ｌ字形の透視図
【図３】本案ミニ独楽の斜視図
【図４】本案の一例：鷲マークとブロック片の平面図
【符号の説明】
【００２３】１  ダイス
２  ミニ独楽
３  丸凹み
４  回転ストッパー
５  角凹み
６  丸軸
７  孔
８  ブロック片
【図１】
0003144335.tif 000003
【図２】
0003144335.tif 000004
【図３】
0003144335.tif 000005
【図４】
0003144335.tif 000006
【手続補正書】
【提出日】平成20年5月30日(2008.5.30)
【手続補正１】
【補正対象書類名】実用新案登録請求の範囲
【補正対象項目名】全文
【補正方法】変更
【補正の内容】
【実用新案登録請求の範囲】
【請求項１】
ミニ独楽の半身が埋まる丸凹みと、丸軸を差し込む孔、回転ストッパーが納まる角形の凹みをもつダイス同士を、厚さ２ミリの可塑性丸形ピース両面中心部に、厚さ０．５ミリ、一辺が１０ミリ四方の回転ストッパーを固着し、太さ３ミリ、長さ２５ミリ、両端が丸形の軸を突き刺した形を一体成形したミニ独楽で繋いだブロックパズル。
【手続補正２】
【補正対象書類名】明細書
【補正対象項目名】０００１
【補正方法】変更
【補正の内容】
【０００１】ブロックパズル。
【手続補正３】
【補正対象書類名】明細書
【補正対象項目名】０００４
【補正方法】変更
【補正の内容】
【０００４】従来のパズルは、自分で創作する余地が少なかった。
【手続補正４】
【補正対象書類名】明細書
【補正対象項目名】０００５
【補正方法】変更
【補正の内容】
【０００５】ダイスでパズルが簡単に創作できる。
【手続補正５】
【補正対象書類名】明細書
【補正対象項目名】０００６
【補正方法】変更
【補正の内容】
【０００６】本考案は、ミニ独楽２を繋ぎ役にしたダイスブロックパズルである。
【手続補正６】
【補正対象書類名】明細書
【補正対象項目名】０００８
【補正方法】変更
【補正の内容】
【０００８】ミニ独楽２は、厚さ２ミリの可塑性円盤に丸軸６を通した形を一体成形したものである。
【手続補正７】
【補正対象書類名】明細書
【補正対象項目名】００１０
【補正方法】変更
【補正の内容】
【００１０】丸軸６は、太さ３ミリ、長さ２５ミリ、両端が丸くてミニ独楽２の中心を通る。
【手続補正８】
【補正対象書類名】明細書
【補正対象項目名】００１３
【補正方法】変更
【補正の内容】
【００１３】丸軸６を差し込む孔７は背面の孔に貫通している。
【手続補正９】
【補正対象書類名】明細書
【補正対象項目名】００１５
【補正方法】変更
【補正の内容】
【００１５】パズルは、完成した形の中の一部にミニ独楽２の欠落した部分をつくる。
【手続補正１０】
【補正対象書類名】明細書
【補正対象項目名】００２２
【補正方法】変更
【補正の内容】
【００２２】
【図４】本案の一例：鷲マークとブロック片の平面図
【手続補正１１】
【補正対象書類名】明細書
【補正対象項目名】００２３
【補正方法】変更
【補正の内容】
【００２３】１  ダイス
２  ミニ独楽
３  丸凹み
４  回転ストッパー
５  角凹み
６  丸軸
７  孔
８  ブロック片
９  ミニ独楽欠落部
【手続補正１２】
【補正対象書類名】図面
【補正対象項目名】図４
【補正方法】変更
【補正の内容】
【図４】
0003144335.tif 000007
(57)【要約】      （修正有）【課題】マグネット等では装着できない箇所に装着できることが出来、取り外しも容易に行なえ、かつ割れにくく、安全警告効果をもたらす緩衝材を提供する。【解決手段】空気入り緩衝材本体１の裏面の様に両面接着テープを使用する事により、マグネットなどでは付かない箇所への装着を可能とし、又、３の様に両面接着テープを左右１ｃｍ程長くして緩衝材本体に巻き込むことにより、指でテープを押さえながら剥がすことにより接着テープと緩衝材本体の分離を防ぐ。表面には４の様に反射テープを装着する事により、接触危険警告効果を発すると共に、緩衝材の破裂をしにくくしている。【選択図】図１
0003144333.tif 000002
【実用新案登録請求の範囲】
【請求項１】
衝撃を緩和し、破損を防ぐための空気入り緩衝材の裏面に両面接着テープを貼り、従来、マグネット等ではつけられなかった箇所への装着を可能とし、更に両面接着テープを左右１ｃｍ程長くし、本体に巻き込む。そのテープ箇所を指で押さる事により、対象物の脱着を簡単にする。表面には反射効用テープを装着することにより、接触警告効果及び緩衝材の破裂をしにくくする効果のある緩衝材としている。
【考案の詳細な説明】
【技術分野】
【０００１】  本考案は衝撃を緩和し、破損を防ぐ為の緩衝材を対象物又は他の物に装着し、また、破裂しにくくする為の工夫を施し、かつ危険警告効果を狙い接触を防ぐ事を目的とする。
【背景技術】
【０００２】緩衝材を使う場合において、箱に直接入れて対象物を保護する事が大半で、緩衝材を装着させる場合はマグネット等を使用し装着する等、使用範囲が限られている上、コストも高かった。更に、取り外しの作業もしにくく、はずす際に対象物へ傷等がつく事があった。
【考案の開示】
【考案が解決しようとする課題】
【０００３】衝撃を緩和する為の空気入り緩衝材をどこにでも簡単に装着し、剥がすことが出来る様にし、かつ、緩衝材自体が破裂しにくく、かつ接触を避ける効果のあるものにする事。
【課題を解決するための手段】
【０００４】空気入りの緩衝材の裏面に両面接着テープを使用する事により、マグネットなどでは付かない箇所への装着を可能とし、又、両面接着テープを左右１ｃｍ程長くして緩衝材本体に巻き込むことにより、指でテープを押さえながら剥がすことにより両面接着テープと緩衝材本体の分離を防ぐ。
表面には反射テープを装着する事により、接触危険警告効果を発すると共に、緩衝材の破裂をしにくくしている。
【図面の簡単な説明】
【０００５】
【図１】本考案緩衝材の表面図
【図２】本考案緩衝材の裏面図
【符号の説明】
【０００６】１・・・本考案緩衝材本体
２・・・本考案緩衝材裏面に装着する両面接着テープ
３・・・両面接着テープを左右１ｃｍ程長くした部分
４・・・本考案緩衝材表面に装着する反射テープ
【図１】
0003144333.tif 000003
【図２】
0003144333.tif 000004
【手続補正書】
【提出日】平成20年5月29日(2008.5.29)
【手続補正１】
【補正対象書類名】実用新案登録請求の範囲
【補正対象項目名】全文
【補正方法】変更
【補正の内容】
【実用新案登録請求の範囲】
【請求項１】
衝撃を緩和し、破損を防ぐ為の空気入り緩衝材において
１）緩衝材本体の裏面に両面接着テープを貼り、
２）更に両面接着テープを左右１ｃｍ程長くし、本体に巻き込み、
３）表面には反射効用テープを装着し、
以上からなる緩衝材。
(57)【要約】      （修正有）【課題】積木のように自由に創作できるピースパズルを提供する。【解決手段】上半分の内面中心部に正三角形の凸軸を、下半分の内面中心部に三角凸軸を差し込む凹軸を固着しているピース同士を、６０度角度の刻み１２個を含む内向き歯車二個を柄で繋ぐめがね形カプラーで繋いで成るピースパズルである。これにより、根気、連想力、創作意欲を高め脳を活性化させる。【選択図】図１
0003144334.tif 000002
【実用新案登録請求の範囲】
【請求項１】
ピース：  上下二枚から成る。上半分の裏面中心部に正三角形の凸軸を、下半分の表面中          心部に三角凸軸を差し込む凹軸を固着する。
カプラー：６０度角度の刻みを１２個持つ内向きの歯車二個の間を柄で繋ぐ。
以上、カプラーでピースを繋ぎ、ピースパズルを作る仕組み。
【考案の詳細な説明】
【考案の詳細な説明】
【０００１】ピースパズルを作る仕組み。
【技術分野】
【０００２】ゲーム具に属する。
【背景技術】
【０００３】従来よりピースパズルはあった。
【考案が解決しようとする課題】
【０００４】従来のパズルは、自分で創作するものが少なかった。
【課題を解決するための手段】
【０００５】積木のように自由に創作できるピースパズルにする。
【実施例】
【０００６】本考案は、ピース１同士をカプラー８で繋いでピースパズルを作る。【０００７】ピース１は、上半分２と下半分３に分かれる。【０００８】上半分２の中心部に正三角形の凸軸４を固着する。【０００９】下半分の中心部に凸軸４を差し込む正三角形の凹軸５を固着する。【００１０】カプラー８は、二つのリング６を柄９でつなぐ。【００１１】リング６は、６０度角度の刻み１０を１２ヶの内向き歯車７である。【００１２】歯車７の大きさは、三角凹軸５の三つの角を完全に抱え込む大きさである。【００１３】柄９の長さは、接続するピース１の凹軸５にリング６をはめた状態の時のリング６間の距離とする。【００１４】下半分３を上向きにして図形をつくり、カプラー８を嵌めて上半分２を被せる。（図１参照）【００１５】パズルは、カプラー８のない箇所を幾つか作り分離させて作る。（図１参照）
【考案の効果】
【００１６】凸軸４と凹軸５の咬合を三角形にすることによってピース上下２・３の空回りを防ぐ。
【００１７】歯車７の刻み１０の角度と、正三角形の凹軸５の角度が同じ６０度であることから、カプラー８を何れの方向からでも完全に抱え込むことができる。
【００１８】カプラー８で繋がれた二つのピース１同士は、相互の角度がロックされた状態になる。
【００１９】本考案は、以上のような構造であるため、組み立て分解が容易である。
【００２０】従来は、既製のパズルを解くだけであったが、課題を自作して他者に解かせる新たな快感を味わうことができる。
【００２１】根気、連想力、創作意欲を高め脳を活性化させる。
【図面の簡単な説明】
【００２２】
【図１】本考案の一例として、平板丸形ピースで作る三角形の、一部にカプラーを嵌めた状態を示す平面図。
【図２】本考案の、丸型ピース上半分の斜視図図
【図３】本考案の、丸型ピース下半分の斜視図
【図４】本考案の、丸型ピースの側面図
【図５】本考案の、カプラーの平面図
【符号の説明】
【００２３】  １  ピース
２  ピース上半分
２ａ上半分内面
３  ピース下半分
３ａ下半分内面
４  凸軸
５  凹軸
６  リング
７  歯車
８  カプラー
９  柄
１０  刻み
【図１】
0003144334.tif 000003
【図２】
0003144334.tif 000004
【図３】
0003144334.tif 000005
【図４】
0003144334.tif 000006
【図５】
0003144334.tif 000007
【手続補正書】
【提出日】平成20年5月30日(2008.5.30)
【手続補正２】
【補正対象書類名】実用新案登録請求の範囲
【補正対象項目名】全文
【補正方法】変更
【補正の内容】
【実用新案登録請求の範囲】
【請求項１】
上半分の内面中心部に正三角形の凸軸を、下半分の内面中心部に三角凸軸を差し込む凹軸を固着しているピース同士を、６０度角度の刻み１２個を内向き歯車二個を柄で繋ぐめがね形カプラーで繋いで成るピースパズル。
【手続補正３】
【補正対象書類名】明細書
【補正対象項目名】０００６
【補正方法】変更
【補正の内容】
【０００６】  本考案は、ピース１同士をカプラー８で繋いだピースパズルである。
【手続補正４】
【補正対象書類名】明細書
【補正対象項目名】０００８
【補正方法】変更
【補正の内容】
【０００８】  上半分２の中心部に正三角形の凸軸４を固着している。